(57)【要約】  本発明は自動洗米装置に関するものであって、さらに詳細には入力される値により炊事される米又は豆の量及び洗浄水の量が定められ、これによって米の洗浄が自動に行われて、炊事のための定量水が自動に供給されて炊事することができる自動洗米装置に関するものである。前記のような本発明である自動洗米装置は米又は米と豆の混合物を洗浄する洗米部と、前記洗米部に供給するための米が貯蔵されて、前記洗米部と連結され米が排出される米貯蔵部と、前記洗米部に供給するための豆が貯蔵され、前記洗米部と連結されて豆が排出される豆貯蔵部と、前記洗米部に洗浄水供給パイプを介して連結され、前記洗米部に供給される米又は米と豆の混合物を洗浄するための洗浄水を貯蔵／供給する洗浄水貯蔵部と、前記洗米部に定量水供給パイプを介して連結され、前記米又は米と豆の混合物が炊事することができるように水を貯蔵／供給する定量水供給部と、前記洗米部と、米貯蔵部及び豆貯蔵部にそれぞれ連結されて駆動する駆動手段と、及び前記洗米部の下部一側に第１の調節水連結パイプ及び第２の調節水連結パイプを介して連結され、前記第１の調節水連結パイプ及び第２の調節水連結パイプを介して排出される洗浄水により前記洗浄水供給パイプから前記洗米部に供給される洗浄水の量と前記定量水供給部から前記洗米部に供給される定量水量とを自動調節する洗浄水調節部と、から構成されたことを特徴とする。前記のような本発明に係る自動洗米装置によると、米又は豆の洗浄が自動に行われ、炊事のための定量水が自動に供給されて炊事することができる。さらに、自動炊事装置の一部分として、自動洗米装置の規模を最小にすることができる構造を有して、優れた洗米工程效果を奏し得る。【選択図】図２
2010515479.tif 000002
【特許請求の範囲】
【請求項１】
米又は米と豆の混合物を洗浄する洗米部と、
前記洗米部に供給するための米が貯蔵され、前記洗米部と連結されて米が排出される米貯蔵部と、
前記洗米部に供給するための豆が貯蔵され、前記洗米部と連結されて豆が排出される豆貯蔵部と、
前記洗米部に洗浄水供給パイプを介して連結され、前記洗米部に供給される米又は米と豆の混合物を洗浄するための洗浄水を貯蔵／供給する洗浄水貯蔵部と、
前記洗米部に定量水供給パイプを介して連結され、前記米又は米と豆の混合物が炊事することができるように水を貯蔵／供給する定量水供給部と、
前記洗米部と、米貯蔵部及び豆貯蔵部にそれぞれ連結されて駆動する駆動手段と、及び
前記洗米部の下部一側に第１の調節水連結パイプ及び第２の調節水連結パイプを介して連結されて、前記第１の調節水連結パイプ及び第２の調節水連結パイプを介して排出される洗浄水により、前記洗浄水供給パイプから前記洗米部に供給される洗浄水の量と、前記定量水供給部から前記洗米部に供給される定量水の量を自動調節する洗浄水調節部と、を備えて構成されたことを特徴とする自動洗米装置。
【請求項２】
前記洗米部は一側面が密閉され他側面が開放されて内部空間を形成する円筒状の洗浄槽と、
前記洗浄槽の内部に備えられて、前記洗浄槽に投入される米又は米と豆の混合物を洗浄してこれを漉しだすストレーナー部と、
前記洗浄槽の内部の中心軸に沿って結合することと同時に、前記ストレーナー部の中心に沿って結合して前記ストレーナー部を回転させる回転軸と、及び
前記回転軸の一端に結合して回転する従動プーリーと、を備えて構成されたことを特徴とする請求項１に記載の自動洗米装置。
【請求項３】
前記洗米部はモーター軸の回転を介して回転力を発生する駆動モーターと、
前記モーター軸の一端に結合して回転する駆動プーリーと、及び
前記駆動プーリーと従動プーリーを相互連結し、前記駆動モーターの回転力を伝達する駆動ベルトと、を含む洗米部駆動手段をさらに備えたことを特徴とする請求項２に記載の自動洗米装置。
【請求項４】
前記洗浄槽は側面上部の一側に貫通される米供給ホールと、
側面上部の他側に貫通される豆供給ホールと、
前記米供給ホール及び豆供給ホールと一定間隔離れて貫通される洗浄水供給ホールと、
側面下部の一側に貫通される第１、２の洗浄水排出口と、
側面下部の他側に貫通される供給台結合ホールと、及び密閉される一側面の中心部に貫通される第１の回転軸挿入ホールが形成され、
前記米供給ホールには、上面の断面積が広くて下面の断面積が細くなる漏斗形状の米供給台が結合し、
前記豆供給ホールには、上面の断面積が広くて下面の断面積が細くなる漏斗形状の豆供給台が結合し、
前記洗浄水供給ホールには、洗浄水供給パイプが結合し、
前記供給台結合ホールには、洗浄される米又は米と豆の混合物及び定量水が案内／排出される炊事供給台が結合し、
前記第１の回転軸挿入ホールの外側にはベアリングが挿入された第１のベアリング挿入部が結合し、
前記開放された他側面には第２の回転軸挿入ホール及び定量水供給パイプ挿入ホールが貫通形成された回転軸カバーが結合し、
前記第２の回転軸挿入ホールの外側にベアリングが挿入された第２のベアリング挿入部が結合する構造を有することを特徴とする請求項２に記載の自動洗米装置。
【請求項５】
前記炊事供給台は前記米又は米と豆の混合物が排出されるように案内する排出ガイドと、
及び前記排出ガイドの上部端部に結合し、前記排出ガイドに定量の水を供給する'Ｙ'字形状の定量水供給パイプとを含めて構成されることを特徴とする請求項４に記載の自動洗米装置。
【請求項６】
前記ストレーナー部は一端が密閉されて他端が開放され、密閉された一端の下側面にストレーナー溝が貫通形成された通孔の回転パイプと、及び米の中の微細石粉と鉄分が分離されて下部に透過されることができる幾多の透過ホールが形成されたフィルタリング部とで構成されることを特徴とする請求項２に記載の自動洗米装置。
【請求項７】
前記ストレーナー部は前記回転パイプの外面に結合する固定部と、及び
前記固定部の一端両側に延長形成されて、両端の一部がそれぞれ切曲されて形成される羽部で構成される'Ｔ'字形形状を有する一つ以上の粒集合用羽がさらに結合したことを特徴とする請求項２に記載の自動洗米装置。
【請求項８】
前記米貯蔵部は上部が開放されて内部空間を形成し、下部に米排出ホール及び米投下ホールが貫通形成された米貯蔵タンクと、
前記米排出ホールと連携されて水平に結合し、前記洗米部側に米を供給するように連結される米貯蔵部スクリュー結合溝と、
前記米投下ホールの開閉を介して前記米貯蔵タンクで貯蔵される米を一括して排出させることができる米投下ホール栓と、
前記米貯蔵部スクリュー結合溝に内蔵され、回転を介して米を外部に排出する米貯蔵部スクリューと、及び
前記米貯蔵部スクリューの一端に結合して駆動させる米貯蔵部駆動手段と、を含めて構成されることを特徴とする請求項１に記載の自動洗米装置。
【請求項９】
前記豆貯蔵部は上部が開放されて内部空間を形成し、下部に豆排出口及び豆透過ホールが貫通形成された豆貯蔵タンクと、
前記豆排出口と連携されて水平に結合し、前記洗米部側に豆を供給するように連結される豆貯蔵部スクリュー結合溝と、
前記豆透過ホールの開閉を介して前記豆貯蔵タンクに貯蔵される豆を一括して排出させることができる豆投下ホール栓と、
前記豆貯蔵部スクリュー結合溝に内蔵され、回転を介して豆を外部に排出する豆貯蔵部スクリューと、
前記豆貯蔵部スクリューの一端に結合して駆動させる豆貯蔵部駆動手段と、及び
前記豆貯蔵部スクリューの回転によって排出される豆を前記洗米部に供給する豆排出パイプと、を含めて構成されることを特徴とする請求項１に記載の自動洗米装置。
【請求項１０】
前記洗浄水貯蔵部は内部空間を形成し、洗浄水が貯蔵される洗浄水貯蔵タンクと、
前記洗浄水貯蔵タンクの上部一側に連結され、外部から洗浄水が供給される洗浄水流入パイプと、
前記洗浄水貯蔵タンクの上部面に結合する洗浄水貯蔵タンク栓と、及び
前記洗浄水貯蔵タンクの上部面の一側に備えられ、前記洗浄水貯蔵タンクの洗浄水の水位を感知して前記洗浄水流入パイプを介して流入される洗浄水の量を調節する洗浄水水位調節センサーを含めて構成されることを特徴とする請求項１に記載の自動洗米装置。
【請求項１１】
前記定量水供給部は内部空間を形成し、上部一側に定量水流入結合ホールが形成され、下端部に定量水供給ホールが形成された定量水タンクと、
前記定量水流入結合ホールに結合して前記定量水タンクの内部に定量の水を供給する定量水流入パイプと、
前記定量水タンクの下端外側に結合し、前記定量水流入パイプを介して前記定量水タンクの内部に満たされる定量水の量を自動調節するロードセルと、及び
前記洗浄水調節部と連動して前記定量水供給ホールの開閉を介して定量水の排出を調節する定量水調節台とを含めて構成されることを特徴とする請求項１に記載の自動洗米装置。
【請求項１２】
前記定量水調節台は前記洗浄水調節部と連動し垂直上下運動が行われ、一端に垂直方向に長空の調節栓ピン挿入ホールが貫通形成された第１の調節ロードと、
前記調節栓ピン挿入ホールに挿入結合して流動する調節栓ピンが形成され、前記第１の調節ロードが内挿されて垂直上下運動が行われる調節栓結合台と、及び
前記調節栓結合台の端部に固定結合して前記第１の調節ロードの垂直上下運動を介して前記定量水供給ホールを開閉しながら定量水の排出を調節する調節栓と、を含めて構成されることを特徴とする請求項１１に記載の自動洗米装置。
【請求項１３】
前記洗浄水調節部は前記第１の調節水連結パイプ及び第２の調節水連結パイプが側面に結合し、上／下部が開放される円筒状の垂直パイプと、
前記垂直パイプの上／下端に結合する上／下部栓と、
前記上部栓に結合し、前記上部栓にガイドされて上下移動可能なガイドピンと、
前記上部栓の上端に備えられ、前記ガイドピンによって電気供給のためのＯＮ／ＯＦＦ作動が行われるスィッチと、
前記定量水供給部と連動して前記洗米部に供給される洗浄水の量と定量水量を自動調節する調節部と、及び
前記下部栓の下端部に結合し、前記洗米部から排出される洗浄水が外部へ抜ける汚水排出パイプと、を含めて構成されることを特徴とする請求項１に記載の自動洗米装置。
【請求項１４】
前記調節部は前記定量水供給部と連携されて上下作動する第２の調節ロードと、
前記上部栓の外側上端部に結合し、前記第２の調節ロードが内挿する弾性部材と、
前記第２の調節ロードの下端部に結合する
2010515479.tif 000005
形状の連結ロードと、
前記連結ロードに結合し、下端中心部に貫通孔が形成された調節水タンクと、及び
前記第２の調節水連結パイプの内部に備えられ、前記連結ロードの上部に連結される調節台を含めて構成されることを特徴とする請求項１３に記載の自動洗米装置。
【請求項１５】
前記調節台は前記連結ロードに一端が連結されて、前記洗米部に形成される第２の洗浄水排出口の開閉のための排出口栓が他端に結合した梃子と、及び
前記梃子の中心部で一側に一定距離偏心された位置に備えられる梃子軸と、を含めて構成されることを特徴とする請求項１４に記載の自動洗米装置。
【発明の詳細な説明】
【技術分野】
【０００１】
本発明は自動洗米装置に関するものであって、さらに詳細には入力される値によって炊事される米又は豆の量及び洗浄水の量が定められ、これによって米の洗浄が自動に行われ、炊事のための定量水が自動に供給されて炊事することができる自動洗米装置に関するものである。
【背景技術】
【０００２】
最近、ホームネットワーク市場はデジタル家電の拡大、ホームエンターテインメント、ホームオートメーション、ホームセキュリティなど生活便宜に対する消費者の欲求が増大し、有無線の多様なネットワーク技術の発達などで、その規模が続いて成長しつつある。
【０００３】
特に、デジタルホームはネットワーク化及びコンバージェンス化に最適化されたイムベデ−ドシステムの普及を促進させる役目の遂行とともに、近付くユビキタス社会産業全般にわたった波及効果が大きいと予想される。
【０００４】
前記のイムベデ−ドシステムとは、コンピューター以外の電子製品に内蔵される運営体制を言うものであって、これはＰＤＡ又は携帯電話、セットップボックス、一般家電製品に至るまで各種電子製品の内部に移植されて実際ハードウェアを制御する役目をする。 電子計算機から洗濯機、冷蔵庫に至るまでコンピューティング要素が装着されないところがない今に、イムベデ−ドシステムは新たなコンピューティング時代を開く核心技術としている。
【０００５】
このようなイムベデ−ドシステムの一つであって、ユビキタス時代に当たる自動炊事装置が開発されている趨勢であり、特に自動炊事装置を構成するためには炊事装置の核心技術である自動洗米工程のための自動洗米装置の開発が重要視されている。
【０００６】
このような必要性によって従来に自動炊事のための装置が開発されているが、従来の自動炊事装置は半自動化された炊事装置であって、炊事の前処理工程である米の洗米工程は自動化し難い工程であり、このような洗米工程は大部分人力にのみ依存して受動で作業が成り立った。
【０００７】
このような方式の洗米工程は使用者が米タンクから米を引き出して洗米装置に投入させて洗浄を行い、洗浄の完了された米は使用者が再び道具を利用して炊飯器に移さなければならない半受動的な工程で行われた。
【０００８】
したがって、このような受動的な洗米工程及び半受動的な洗米工程によるさまざまな問題点を解消するために、米の洗浄と炊事を自動に遂行するための装置同士が多く提案された。例えば、日本公開特許平3-176007号(1991.07.31.公開)の"自動洗米炊飯器"、日本公開特許平4-54919号(1992.02.21.公開)の "洗米炊飯器"、韓国公開特許第94-13433号(1994.07.15.公開)の"全自動電気タンク"、韓国特許第292039号(2001.03.19.登録)の"全自動システム炊飯器"、韓国登録実用新案登録第318997号の"自動炊飯器"などは、米の洗浄と炊事を自動に遂行する自動炊事装置の一例である。
【０００９】
前記した従来技術による自動炊事装置は、米を手作業で洗浄する肉体的な行為を省略することができるようにして、便利な炊事が可能となるようにするものであるが、このような従来技術による自動炊事装置同士は、装置の規模の大型化、構造の複雑性及び高い製造原価に対する負担とともに自動炊事装置の性能に解決できなかった問題点らが残っていて実際に商品化されていない実情である。
【発明の概要】
【発明が解決しようとする課題】
【００１０】
前記のような必要性及び問題点を解決するための本発明は、ユビキタス時代に当たるイムベデ−ドシステムの一つであって、初期制御部に入力される値によって炊事される米又は豆の量及び洗浄水の量が定められ、これによって米の洗浄が自動に行われ、炊事のための定量水が自動に供給されて炊事することができる自動洗米装置を提供することにその目的がある。
【００１１】
また、自動炊事装置の一部分であって、自動洗米装置の規模を最小することができる構造を有し、比較的簡単な構造を有するが、優れた洗米工程の效果が奏し得る自動洗米装置を提供することにその目的がある。
【課題を解決するための手段】
【００１２】
前記のような目的を達成するための本発明である自動洗米装置は、米又は米と豆の混合物を洗浄する洗米部と、前記洗米部に供給するための米が貯蔵され、前記洗米部と連結されて米が排出される米貯蔵部と、前記洗米部に供給するための豆が貯蔵され、前記洗米部と連結されて豆が排出される豆貯蔵部と、前記洗米部に洗浄水供給パイプを介して連結され、前記洗米部に供給される米又は米と豆の混合物を洗浄するための洗浄水を貯蔵／供給する洗浄水貯蔵部と、前記洗米部に定量水供給パイプを介して連結され、前記米又は米と豆の混合物が炊事することができるように水を貯蔵／供給する定量水供給部と、前記洗米部と、米貯蔵部及び豆貯蔵部にそれぞれ連結されて駆動する駆動手段と、及び前記洗米部の下部一側に第１の調節水連結パイプ及び第２の調節水連結パイプを介して連結されて、前記第１の調節水連結パイプ及び第２の調節水連結パイプを介して排出される洗浄水により、前記洗浄水供給パイプから前記洗米部に供給される洗浄水の量と、前記定量水供給部から前記洗米部に供給される定量水の量を自動調節する洗浄水調節部と、から構成されたことを特徴とする。
【００１３】
ここで、前記洗米部は一側面が密閉され他側面が開放されて内部空間を形成する円筒状の洗浄槽と、前記洗浄槽の内部に備えられて、前記洗浄槽に投入される米又は米と豆の混合物を洗浄してこれを漉しだす網ジャク部と、前記洗浄槽の内部の中心軸に沿って結合することと同時に、前記ストレーナー部の中心に沿って結合して前記ストレーナー部を回転させる回転軸と、及び前記回転軸の一端に結合して回転する従動プーリーと、で構成される。
【００１４】
また、前記洗米部はモーター軸の回転を介して回転力を発生する駆動モーターと、前記モーター軸の一端に結合して回転する駆動プーリーと、及び前記駆動プーリーと従動プーリーを相互連結し、前記駆動モーターの回転力を伝達する駆動ベルトと、を含む洗米部駆動手段をさらに備える。
【００１５】
さらに、前記洗浄槽は側面上部の一側に貫通される米供給ホールと、側面上部の他側に貫通される豆供給ホールと、前記米供給ホール及び豆供給ホールと一定間隔離れて貫通される洗浄水供給ホールと、側面下部の一側に貫通される第１、２の洗浄水排出口と、側面下部の他側に貫通される供給台結合ホールと、及び密閉される一側面の中心部に貫通される第１の回転軸挿入ホールが形成され、前記米供給ホールには、上面の断面積が広くて下面の断面積が細くなる漏斗形状の米供給台が結合し、前記豆供給ホールには、上面の断面積が広くて下面の断面積が細くなる漏斗形状の豆供給台が結合し、前記洗浄水供給ホールには、洗浄水供給パイプが結合し、前記供給台結合ホールには、洗浄される米又は米と豆の混合物及び定量水が案内／排出される炊事供給台が結合し、前記第１の回転軸挿入ホールの外側にはベアリングが挿入された第１のベアリング挿入部が結合し、前記開放された他側面には第２の回転軸挿入ホール及び定量水供給パイプ挿入ホールが貫通形成された回転軸カバーが結合し、前記第２の回転軸挿入ホールの外側にベアリングが挿入された第２のベアリング挿入部が結合する構造を有する。
【００１６】
ここで、前記炊事供給台は前記米又は米と豆の混合物が排出されるように案内する排出ガイドと、及び前記排出ガイドの上部端部に結合し、前記排出ガイドに定量の水を供給する'Ｙ'字形状の定量水供給パイプとを含めて構成される。
【００１７】
一方、前記ストレーナー部は一端が密閉されて他端が開放され、密閉された一端の下側面にストレーナー溝が貫通形成された通孔の回転パイプと、及び米の中の微細石粉と鉄分が分離されて下部に透過されることができる幾多の透過ホールが形成されたフィルタリング部とで構成される。
【００１８】
また、前記ストレーナー部は前記回転パイプの外面に結合する固定部と、及び前記固定部の一端両側に延長形成されて、両端の一部がそれぞれ切曲されて形成される羽部で構成される'Ｔ'字形形状を有する一つ以上の粒集合用羽がさらに結合する。
【００１９】
さらに、前記米貯蔵部は上部が開放されて内部空間を形成し、下部に米排出ホール及び米投下ホールが貫通形成された米貯蔵タンクと、前記米排出ホールと連携されて水平に結合し、前記洗米部側に米を供給するように連結される米貯蔵部スクリュー結合溝と、前記米投下ホールの開閉を介して前記米貯蔵タンクで貯蔵される米を一括して排出させることができる米投下ホール栓と、前記米貯蔵部スクリュー結合溝に内蔵され、回転を介して米を外部に排出する米貯蔵部スクリューと、及び前記米貯蔵部スクリューの一端に結合して駆動させる米貯蔵部駆動手段と、を含めて構成される。
【００２０】
また、前記豆貯蔵部は上部が開放されて内部空間を形成し、下部に豆排出口及び豆透過ホールが貫通形成された豆貯蔵タンクと、前記豆排出口と連携されて水平に結合し、前記洗米部側に豆を供給するように連結される豆貯蔵部スクリュー結合溝と、前記豆透過ホールの開閉を介して前記豆貯蔵タンクに貯蔵される豆を一括して排出させることができる豆投下ホール栓と、前記豆貯蔵部スクリュー結合溝に内蔵され、回転を介して豆を外部に排出する豆貯蔵部スクリューと、前記豆貯蔵部スクリューの一端に結合して駆動させる豆貯蔵部駆動手段と、及び前記豆貯蔵部スクリューの回転によって排出される豆を前記洗米部に供給する豆排出パイプと、を含めて構成される。
【００２１】
また、前記洗浄水貯蔵部は内部空間を形成し、洗浄水が貯蔵される洗浄水貯蔵タンクと、前記洗浄水貯蔵タンクの上部一側に連結され、外部から洗浄水が供給される洗浄水流入パイプと、前記洗浄水貯蔵タンクの上部面に結合する洗浄水貯蔵タンク栓と、及び前記洗浄水貯蔵タンクの上部面の一側に備えられ、前記洗浄水貯蔵タンクの洗浄水の水位を感知して前記洗浄水流入パイプを介して流入される洗浄水の量を調節する洗浄水水位調節センサーを含めて構成される。
【００２２】
また、前記定量水供給部は内部空間を形成し、上部一側に定量水流入結合ホールが形成され、下端部に定量水供給ホールが形成された定量水タンクと、前記定量水流入結合ホールに結合して前記定量水タンクの内部に定量の水を供給する定量水流入パイプと、前記定量水タンクの下端外側に結合し、前記定量水流入パイプを介して前記定量水タンクの内部に満たされる定量水の量を自動調節するロードセルと、及び前記洗浄水調節部と連動して前記定量水供給ホールの開閉を介して定量水の排出を調節する定量水調節台とを含めて構成される。
【００２３】
さらに、前記定量水調節台は前記洗浄水調節部と連動し垂直上下運動が行われ、一端に垂直方向に長空の調節栓ピン挿入ホールが貫通形成された第１の調節ロードと、前記調節栓ピン挿入ホールに挿入結合して流動する調節栓ピンが形成され、前記第１の調節ロードが内挿されて垂直上下運動が行われる調節栓結合台と、及び前記調節栓結合台の端部に固定結合して前記第１の調節ロードの垂直上下運動を介して前記定量水供給ホールを開閉しながら定量水の排出を調節する調節栓と、を含めて構成される。
【００２４】
一方、前記洗浄水調節部は前記第１の調節水連結パイプ及び第２の調節水連結パイプが側面に結合し、上／下部が開放される円筒状の垂直パイプと、前記垂直パイプの上／下端に結合する上／下部栓と、前記上部栓に結合し、前記上部栓にガイドされて上下移動可能なガイドピンと、前記上部栓の上端に備えられ、前記ガイドピンによって電気供給のためのＯＮ／ＯＦＦ作動が行われるスィッチと、前記定量水供給部と連動して前記洗米部に供給される洗浄水の量と定量水量を自動調節する調節部と、及び前記下部栓の下端部に結合し、前記洗米部から排出される洗浄水が外部へ抜ける汚水排出パイプと、を含めて構成される。
【００２５】
ここで、前記調節部は前記定量水供給部と連携されて上下作動する第２の調節ロードと、前記上部栓の外側上端部に結合し、前記第２の調節ロードが内挿する弾性部材と、前記第２の調節ロードの下端部に結合する
2010515479.tif 000003
形状の連結ロードと、前記連結ロードに結合し、下端中心部に貫通孔が形成された調節水タンクと、及び前記第２の調節水連結パイプの内部に備えられ、前記連結ロードの上部に連結される調節台を含めて構成される。
【００２６】
さらに、前記調節台は前記連結ロードに一端が連結されて、前記洗米部に形成される第２の洗浄水排出口の開閉のための排出口栓が他端に結合した梃子と、及び前記梃子の中心部で一側に一定距離偏心された位置に備えられる梃子軸と、を含めて構成される。
【発明の効果】
【００２７】
前記のような本発明にかかる自動洗米装置によると、米又は豆の洗浄が自動に行われ、炊事のための定量水が自動に供給されて炊事することができる。
【００２８】
さらに、自動炊事装置の一部分であって、自動洗米装置の規模を最小にすることができる構造を有し、卓越な洗米工程效果を奏することができる。
【００２９】
本発明は特定の実試例に関して示して説明したが、本発明の特許請求の範囲によって備えられる本発明の精神や分野を外れない範囲内で本発明が多様に改造及び変化されることができるのを当業界における通常の知識を有する者は容易に分かることを明らかにしておく。
【図面の簡単な説明】
【００３０】
【図１】本発明の実施例にかかる自動洗米装置を備える自動炊事装置の外見斜視図である
【図２】本発明の実施例にかかる自動洗米装置の構造を互いに異なる角度からの斜視図である
【図３】本発明の実施例にかかる自動洗米装置の構造を互いに異なる角度からの斜視図である
【図４】本発明の実施例にかかる自動洗米装置の構造を互いに異なる角度からの斜視図である
【図５ａ】本発明の実施例にかかる洗米部の結合斜視図である
【図５ｂ】洗浄槽と回転軸及び従動プーリーの結合斜視図である
【図５ｃ】ストレーナー部の斜視図である
【図５ｄ】炊事供給台の斜視図である
【図６】本発明の実施例にかかる米貯蔵部の構成の斜視図である
【図７】本発明の実施例にかかる豆貯蔵部の構成の斜視図である
【図８】本発明の実施例にかかる定量水供給部と洗浄水調節部の構造の構成図である
【発明を実施するための形態】
【００３１】
以下、添付された図面を参照して本発明の好ましい実施例を詳しく説明する。
【００３２】
添付の図面のうち、図１は本発明の実施例による自動洗米装置を備える自動炊事装置を示す外見斜視図である。
【００３３】
前記図面を参照すると、本発明である自動洗米装置は浄水装置１１０、炊事タンク１２０(図２参照)などとともに自動炊事装置１００の内部に備えられるものである。前記自動炊事装置１００の前面上部には機能選択のためのメニューボタン１３１同士が備えられたディスプレー部１３０が結合して、前記ディスプレー部１３０は制御部（図示せず）に電気的に連結されて前記メニューボタン１３１が押されると、この命令を制御部に伝達して自動炊事装置１００が作動するようになる。
【００３４】
一方、前記自動炊事装置１００には上水道パイプ１４０を介して上水が供給され、電気配線１５０を介して電気が供給され、電話配線１６０を介して外部からも自動炊事装置１００の制御部（図示せず）に命令することができる。このように電話を利用して外部からも自動炊事装置１００を調整することができるものであって、これはデジタルホームを駆逐して近付くユビキタス社会の要求に合う装置を提供するようになる。
【００３５】
本発明は前記のような自動炊事装置１００の構造において、一つの装置で構成される自動洗米装置に関するものである。前記自動洗米装置は自動炊事装置１００において核心的な技術的要素であり、これを介して完全な自動炊事装置としての機能を備えるようになる。
【００３６】
添付図面のうち、図２から図４は本発明の実施例にかかる自動洗米装置の構造を互いに異なる角度から示した斜視図であって、これを参照すると、本発明による自動洗米装置２００は洗米部３００、米貯蔵部４００、豆貯蔵部５００、洗浄水貯蔵部６００、定量水供給部７００、及び洗浄水調節部８００を含めて構成される。
【００３７】
以下では、前記のように構成される自動洗米装置の構成にかかる装置の説明とともに、これら装置たちの作動原理に対して順に説明する。
【００３８】
−洗米部３００
添付図面のうち、図５ａから５ｄは本発明の実施例にかかる洗米部の構造を示す構成図であって、図５ａは本発明の実施例にかかる洗米部の結合斜視図であり、図５ｂは洗浄槽と回転軸及び従動プーリーの結合斜視図であり、図５ｃはストレーナー部の斜視図であり、図５ｄは炊事供給台の斜視図である。
【００３９】
図２及び図５ａから５ｄを参照すると、前記洗米部３００は洗浄槽３１０、ストレーナー部３２０、回転軸３３０、従動プーリー ３４０、及び洗米部駆動手段３５０を含めて構成される。
【００４０】
＜洗浄槽＞ 
前記洗浄槽３１０は一側面が密閉され、他側面が開放されて内部空間が形成された円筒状の装置であって、これは外部から米と豆、洗浄水が流入されて洗米工程が行われる所である。
【００４１】
このような洗浄槽３１０は側面上部の一側に米供給ホール３１１が貫通形成されて、側面上部の他側に豆供給ホール３１５が貫通形成されて、前記米供給ホール３１１及び豆供給ホール３１５と相互一定間隔離れて洗浄水供給ホール３１２が貫通形成される。また、前記洗浄槽３１０の側面下部の一側には第１の洗浄水排出口３１３（図８参照）と第２の洗浄水排出口３１４とが貫通形成され、側面下部の他側には供給台結合ホール（図示せず）が貫通形成されて、密閉される一側面の中心部には第１の回転軸挿入ホール（図示せず）が貫通形成される。
【００４２】
そして、前記洗浄槽３１０の米供給ホール３１１には、漏斗形状の米供給台３６０が結合するが、これはこれから述べる米貯蔵部４００と連結されて米貯蔵部４００の米が供給されるものである。また、前記豆供給ホール３１５には、前記米供給ホール３１１と同じく漏斗形状の豆供給台５７０が結合するが、これは下記のように豆貯蔵部５００の豆排出パイプ５５０と連結されて豆貯蔵部５００の豆が供給されるものである。
【００４３】
また、前記洗浄水供給ホール３１２には、洗浄水供給パイプ６５０が結合し、前記洗浄水供給パイプ６５０には洗浄水供給バルブ６５１が結合して、前記洗浄槽３１０内部への洗浄水供給を遮断したり許容するようにする。前記洗浄水供給バルブ６５１は、自動炊事装置１００のディスプレー部１３０に炊事予約命令が入力されると、自動炊事装置１００の作動の開始とともに開かれるようになり、前記洗浄水供給パイプ６５０を介して洗浄槽３１０に洗浄水を供給するようにする機能を有する。
【００４４】
一方、前記第１の洗浄水排出口３１３には、下記のように第１の調節水連結パイプ８６０が結合し洗浄水調節部８００に洗浄水が流入されるようにし、前記第２の洗浄水排出口３１４には、下記のように第２の調節水連結パイプ８７０が結合して洗浄水調節部８００に洗浄水が流入されるようにする。
【００４５】
そして、前記第２の洗浄水排出口３１４には豆ホールド網３１４ａがさらに結合するのが好ましいし、この豆ホールド網３１４ａは洗浄槽３１０内に投入された豆が第２の洗浄水排出口３１４を介して抜けることを防止するためのものである。
【００４６】
よって、前記豆ホールド網３１４ａの構造は、格子柄に形成されているし、この格子柄の大きさは通常米の大きさよりは大きく、豆の大きさよりは小さく形成されることが好ましい。
【００４７】
また、前記供給台結合ホールには、洗浄槽３１０の内部で洗浄される米又は米と豆の混合物及び定量水を案内して排出するための炊事供給台３７０が結合する。前記炊事供給台３７０は、米又は米と豆の混合物が排出されるように案内する排出ガイド３７１、及び前記排出ガイド３７１の上部端部に結合し、前記排出ガイド３７１に定量の水を供給して自動炊事タンク１２０で炊事が行われるようにする'Ｙ'字形状の定量水供給パイプ３７２で構成される。
【００４８】
前記'Ｙ'字形状の定量水供給パイプ３７２は、図５ｄに示したように、前記排出ガイド３７１部分に結合する配パイプには数個の通孔３７２ａが貫通されていて、この通孔３７２ａを介して下記のように定量水供給部７００から供給される定量水が排出され、この排出される定量水によって前記排出ガイド３７１に残っている米又は米と豆の混合物がともに自動炊事タンク１２０へ供給される。勿論、前記 'Ｙ'字形状の定量水供給パイプ３７２の一端は下記のように定量水供給部７００から定量水が供給される配パイプ７５０に結合する。
【００４９】
また、前記第１の回転軸挿入ホール（図示せず）の外側には、第１のベアリング挿入部３８０が結合し、前記第１のベアリング挿入部３８０にはベアリング３８１が挿入される。 これは下記のような第２のベアリング挿入部３９０に結合するベアリング３９１とともに洗浄槽３１０の内部に備えられる回転軸３３０の両端に結合して駆動モーター３５１の駆動により前記回転軸３３０が円滑に回転させるためのものである。
【００５０】
一方、前記洗浄槽３１０の開放された部分には回転軸カバー３０１が結合するが、これは前記洗浄槽３１０の内部に前記回転軸３３０と下記のストレーナー部３２０とを挿入した後に、洗浄槽３１０の開放された部分を密閉させるようになる。前記回転軸カバー３０１には前記回転軸３３０が貫通結合するための第２の回転軸挿入ホール（図示せず）が形成されていて、前記第２の回転軸挿入ホール（図示せず）とは別途に上述した定量水供給パイプ３７２が挿入／結合することができるように定量水供給パイプ挿入ホール（図示せず）が形成されている。
【００５１】
なお、前記回転軸カバー３０１の第２の回転軸挿入ホール（図示せず）の外側には、第２のベアリング挿入部３９０が結合し、前記第２のベアリング挿入部３９０には前記第１のベアリング挿入部３８０に結合するベアリング３８１と等しいベアリング３９１が挿入されて前記回転軸３３０の円滑な回転を助ける。
【００５２】
＜ストレーナー部＞ 
前記ストレーナー部３２０は洗浄槽３１０の内部に結合して、前記回転軸３３０とともに回転しながら米又は米と豆の混合物及び洗浄水から米又は米と豆の混合物を漉しだすものである。このようなストレーナー部３２０は回転パイプ３２０ａ及び前記回転パイプ３２０ａに延長されて形成されるフィルタリング部３２０ｂで構成される。
【００５３】
前記回転パイプ３２０ａは一端が密閉され多段が開放されて内部空間を部材であって、全体的にスクリュー形状をしている。そして、この回転パイプ３２０ａに延長され等しいスクリュー形状のフィルタリング部３２０ｂが連結されている。
【００５４】
前記回転パイプ３２０ａの密閉された一端の下側面にはストレーナー溝３２１が貫通形成されるが、このストレーナー溝３２１はストレーナー部３２０が回転軸３３０によって回転する際、ストレーナー溝３２１を介して洗浄水によって洗浄された米を釣って、前記回転パイプ３２０ａの内部空間を介して後方に排出させる機能をするものである。
【００５５】
この場合、米の中に含まれている鉄分や微細石粉などは濾過され、洗浄されて炊事される米のみが釣られるようになる。一方、前記回転パイプ３２０ａは全体的なストレーナー部３２０において、約２から３回転位形成され、残りの１から２回転は下記のようにフィルタリング部３２０ｂで形成される。
【００５６】
前記フィルタリング部３２０ｂは前記回転パイプ３２０ａに延長されて形成され、これは前記回転パイプ３２０ａのストレーナー溝３２１を介して濾過された米とともに含まれる洗浄水と微細石粉、又は鉄分が完全分離され前記洗浄槽３１０の下部に落ちるように幾多の透過ホール３２０ｂ'が貫通形成されている。すなわち、前記回転パイプ３２０ａの後方に押し寄せる米の中の異物や洗浄水が洗浄された米から分離されて、前記透過ホール３２０ｂ'を透過して洗浄槽３１０の下部に落ちるようになる。
【００５７】
一方、前記ストレーナー部３２０の外側には'Ｔ'字形状の粒集合用羽３２２がさらに結合するが、これは前記回転パイプ３２０ａの外面に結合する固定部３２２ａと、前記固定部３２２ａの一端両側に延長形成されて、両端の一部がそれぞれ切曲されて形成される羽部３２２ｂで構成される。
【００５８】
本発明の実施例において、前記粒集合用羽３２２は前記回転パイプ３２０ａの周りに４個の羽を結合したことを開示している。このような粒集合用羽３２２は前記洗浄槽３１０の米供給台３６０を介して米の投入が完了した後に、前記米供給台３６０に残っている米粒が米供給台３６０の揺れによって落ちる場合、この米粒が粒集合用羽３２２に集合されて次の洗浄工程が行われる際、前記ストレーナー部３２０が回転しながら粒集合用羽３２２に集合された米を洗浄槽３１０に再投入させる機能をする。
【００５９】
前記のように回転パイプ３２０ａ及びフィルタリング部３２０ｂからなるストレーナー部３２０は、過去韓国で伝統的に米をよなげたり水を切る時に使用したストレーナーシのような機能をして、前記ストレーナー部３２０が回転をしながらストレーナー溝３２１を介して米や豆を釣る方式は手で料理を回転させながら米をよなげる伝統的な洗米過程と似ているのがわかる。
【００６０】
＜回転軸及び従動プーリー＞ 
前記回転軸３３０は下記の洗米部駆動手段３５０の回転力によって前記ストレーナー部３２０を回転させるものであって、この回転軸３３０の回転により前記ストレーナー部３２０が回転をしながら洗浄槽３１０に供給される米を洗浄するようになる。
【００６１】
このような回転軸３３０の一端は、前記洗浄槽３１０の第１の回転軸挿入ホール（図示せず）を通過して第１のベアリング挿入部３８０に結合したベアリング３８１にかみ合って、多段は前記洗浄槽３１０の第２の回転軸挿入ホール（図示せず）を通過して第２のベアリング挿入部３９０に結合したベアリング３９１にかみ合うと同時に、従動プーリー３４０に結合する。
【００６２】
前記従動プーリー３４０は、下記の洗米部駆動手段３５０により回転力が伝達されて前記回転軸３３０を回転させるものである。
【００６３】
＜洗米部駆動手段＞
前記洗米部駆動手段３５０は、前記回転軸３３０に結合した従動プーリー３４０を回転させるものであって、これはモーター軸（図示せず）の回転を介して回転力を発生する駆動モーター３５１と、前記モーター軸の一端に結合して回転する駆動プーリー３５２及び前記駆動プーリー３５２と従動プーリー３４０とを相互連結し、前記駆動モーター３５１の回転力を伝達する駆動ベルト３５３で構成される。
【００６４】
このような洗米部駆動手段３５０は、下記のように洗浄水調節部８００の作動によって電気が供給されると、これに連動して自動に駆動される。 
【００６５】
−米貯蔵部４００
添付図面のうち、図６は本発明の実施例にかかる米貯蔵部の構成を示す斜視図である。
【００６６】
図２、図４及び図６を参照すると、前記米貯蔵部４００は上述した洗米部３００に供給するための米が貯蔵されるものであって、これは米貯蔵タンク４１０、米貯蔵部スクリュー結合溝４２０、米投下ホール栓４３０、米貯蔵部スクリュー４４０、及び米貯蔵部駆動手段４５０を含めて構成される。
【００６７】
＜米貯蔵タンク＞ 
前記米貯蔵タンク４１０は米が貯蔵される部材であって、上部が開放されて内部空間を形成し、下部には米排出ホール４１１及び米投下ホール（図示せず）が貫通形成される。
【００６８】
例えば、前記米貯蔵タンク４１０の形状は、上部には米が多く貯蔵されることができるように広さが一定した断面積を有し、下部に降りるほど断面積が徐々に細くなって前記米排出ホール４１１を介して米が円滑に排出されるように傾いた断面を有した構造を有する方が好ましい。
【００６９】
一方、前記米貯蔵タンク４１０はセラミックス系の材質を使用するのが望ましくて、これは米の長期保管時に米貯蔵タンク４１０の内部に米に虫が生じたり米が腐食されることを防止することができる材質である。また、上述したようなセラミックス系の材質だけではなく、近来の健康に対する関心が多くなったウェルビング（Wellbeing）時代の要求に合わせて人体に有益であり、長期間保管時に発生される細菌及びその他微生物を殺菌することができる遠赤外線放出材質を用いることもできる。
【００７０】
＜米貯蔵部スクリュー結合溝＞
前記米貯蔵部スクリュー結合溝４２０は、前記米貯蔵タンク４１０の下端部に水平に結合して、前記米排出ホール４１１と連携されることと同時に、前記洗浄槽３１０の米供給ホール３１１と一端が連結されていて、前記米供給ホール３１１を介して洗浄槽３１０に米を供給することができるようになっている。
【００７１】
一方、未説明の符号４６０は、前記洗浄槽３１０の米供給台３６０を介して米が円滑に供給されることができるように、前記米供給台３６０と連結される装置である。
【００７２】
＜米投下ホール栓＞
前記米投下ホール栓４３０は、前記米貯蔵タンク４１０の米投下ホール（図示せず）に結合するものであって、これは前記米投下ホール（図示せず）の開閉を介して前記米貯蔵タンク４１０で貯蔵される米を一括して排出させることができるものである。すなわち、前記米貯蔵タンク４１０で貯蔵される米が古くなったり、米貯蔵タンク４１０の内部を掃除する必要がある場合に、前記米投下ホール栓４３０を開けて貯蔵された米を一括的に排出させたり、内部掃除のために使われた水やその他の内容物を抜き取ることができる。
【００７３】
＜米貯蔵部スクリュー及び米貯蔵部駆動手段＞
前記米貯蔵部スクリュー４４０は回転を介して前記米貯蔵タンク４１０に貯蔵された米を前記洗米部３００に供給するものであって、これは前記米貯蔵部スクリュー結合溝４２０の内部に内蔵されていて、米貯蔵部駆動手段４５０のモーター軸に結合して駆動されるものである。
【００７４】
前記米貯蔵部駆動手段４５０は、下記する洗浄水調節部８００の作動により電気が供給されると、上述した洗米部駆動手段３５０の駆動モーター３５１と同時に駆動し、前記洗浄槽３１０に米が供給されるように前記米貯蔵部スクリュー４４０を回転させる。
【００７５】
さらに、前記米貯蔵部駆動手段４５０は前記自動炊事装置１００のディスプレー部１３０のメニューボタン１３１を介して入力される入力値（例えば、何人分）による信号を感知して駆動が止めるようになり、このため前記洗浄槽３１０に供給される米がこれ以上供給できなくなる。
【００７６】
一方、前記米貯蔵部駆動手段４５０が止まるようになると、上述した洗浄水供給バルブ６５１の作動が止まるのと同時に、前記洗米部駆動手段３５０の駆動モーター３５１が停止する。
【００７７】
−豆貯蔵部５００
添付図面のうち、図７は本発明の実施例にかかる豆貯蔵部の構成を示す斜視図である。
【００７８】
図４及び図７を参照すると、前記豆貯蔵部５００は上述した洗米部３００に供給するための豆が貯蔵されるものであって、これは豆貯蔵タンク５１０、豆貯蔵部スクリュー結合溝５２０、豆貯蔵部スクリュー５３０、豆貯蔵部駆動手段５４０、及び豆排出パイプ５５０で構成される。このような豆貯蔵部５００による豆の供給は、使用者の必要により選択することができるし、これの構造及び作動は上述した米貯蔵部４００と類似する。
【００７９】
＜豆貯蔵タンク＞
前記豆貯蔵タンク５１０は豆が貯蔵される部材であって、上部が開放され内部空間を形成して、下部には豆排出口（図示せず）が形成されている。例えば、前記豆貯蔵タンク５１０の形状は上述した米貯蔵タンク４１０と類似していて、これは上部には豆が多く貯蔵されることができるように広さが一定する断面積を有し、下部に行くほど断面積が徐々に細くなって前記豆排出口（図示せず）を介して豆が円滑に排出されるように傾いた断面を有した構造を有する方が好ましい。
【００８０】
一方、前記豆貯蔵タンク５１０はセラミックス材質を使用する方が望ましくて、これは米の長期保管の時に豆貯蔵タンク５１０の内部に虫が生じたり豆が腐食されることを最大限防止することができる材質である。また、上述したようなセラミックス系の材質だけではなく、近来の健康に対する関心が多くなったウェルビング（Wellbeing）時代の要求に合わせて人体に有益で、長期間保管の時に発生される細菌及びその他の微生物を殺菌することができる遠赤外線放出材質を使用することもできる。
【００８１】
＜豆貯蔵部スクリュー結合溝＞
前記豆貯蔵部スクリュー結合溝５２０は前記豆貯蔵タンク５１０の下端部に水平に結合して、前記豆排出口（図示せず）と連携されることと同時に前記洗浄槽３１０の豆供給ホール３１５と一端が連結されていて、前記豆供給ホール３１５を介して洗浄槽３１０に豆を供給できるようになっている。
【００８２】
＜豆投下ホール栓及び豆排出パイプ＞
前記豆投下ホール栓５６０は前記豆貯蔵タンク５１０の豆投下ホール（図示せず）に結合するものであって、これは前記豆投下ホール（図示せず）の開閉を介して前記豆貯蔵タンク５１０に貯蔵される豆を一括して排出させることができるものである。すなわち、前記豆貯蔵タンク５１０に貯蔵される豆が古くなったり、豆貯蔵タンク５１０の内部を掃除する必要がある場合に、前記豆投下ホール栓５６０を開けて貯蔵された豆を一括的に排出させたり、内部掃除のために使われた水やその他の内容物を抜き取ることができるようになる。
【００８３】
前記豆排出パイプ５５０は、前記洗浄槽３１０と高低の構造上、前記豆貯蔵タンク５１０から直接供給し難いので、これを補うための装置で備えられる。これは前記豆貯蔵部スクリュー結合溝５２０の一端に結合すると同時に上述した洗浄槽３１０の豆供給ホール３１５に連結されて豆を供給するようになる。
【００８４】
＜豆貯蔵部スクリュー及び豆貯蔵部駆動手段＞
前記豆貯蔵部スクリュー５３０は、回転を介して前記豆貯蔵タンク５１０に貯蔵された米を前記洗米部３００に供給するものであって、これは前記豆貯蔵部スクリュー結合溝５２０の内部に内蔵していて、豆貯蔵部駆動手段５４０のモーター軸に結合して駆動されるものである。
【００８５】
前記豆貯蔵部駆動手段５４０は、下記のように洗浄水調節部８００の作動により電気が供給されると、上述した洗米部駆動手段３５０の駆動モーター３５１と同時に駆動して、前記洗浄槽３１０に豆が供給されることができるように前記豆貯蔵部スクリュー５３０を回転させる。
【００８６】
さらに、前記豆貯蔵部駆動手段５４０は、前記自動炊事装置１００のディスプレー部１３０に入力される入力値による信号を感知し駆動が止めるようになって、このため前記洗浄槽３１０に供給される豆がこれ以上供給できなくなる。
【００８７】
−洗浄水貯蔵部６００
図２及び図４を参照すると、前記洗浄水貯蔵部６００は外部から供給される洗浄水が貯蔵され上述した洗米部３００に供給するものであって、この洗浄水貯蔵部６００は洗浄水貯蔵タンク６１０、洗浄水流入パイプ６２０、洗浄水貯蔵タンク栓６３０、及び洗浄水水位調節センサー６４０で構成される。
【００８８】
前記洗浄水貯蔵タンク６１０は内部空間を形成し洗浄水が貯蔵されるものであり、この洗浄水貯蔵タンク６１０の上部一側には外部から洗浄水が供給される洗浄水流入パイプ６２０が連結される。この洗浄水流入パイプ６２０を介して流入される洗浄水は別途に構成される浄水装置により浄水過程を経った水である。そして、前記洗浄水貯蔵タンク６１０の下部一側には洗浄水供給パイプ６５０が連結されて、前記洗浄水供給パイプ６５０を介して上述した洗浄槽３１０の洗浄水供給ホール３１２を介して浄水された洗浄水が供給される。望ましくは、前記洗浄水貯蔵タンク６１０の下端部に洗浄水投下栓６６０をさらに備えて、前記洗浄水貯蔵タンク６１０の 内に貯蔵される水が古くなったり掃除をしなければならない場合に、これを開けて洗浄水を一括的に抜き取るようにすることもできる。
【００８９】
一方、前記洗浄水貯蔵タンク６１０と洗浄水供給ホール３１２との間に連結される洗浄水供給パイプ６５０のには洗浄水供給バルブ６５１が備えられていて、この洗浄水供給バルブ６５１を介して前記洗浄槽３１０に供給される洗浄水の量が自動調節される。特に、前記洗浄水供給バルブ６５１は、自動炊事装置１００のディスプレー部１３０に入力される入力値により自動で開閉作動が行われる。
【００９０】
前記洗浄水貯蔵タンク栓６３０は、前記洗浄水貯蔵タンク６１０の上部面に結合して開閉することができる栓である。
【００９１】
前記洗浄水水位調節センサー６４０は、前記洗浄水貯蔵タンク６１０の上部面の一側に備えられて、前記洗浄水貯蔵タンク６１０の洗浄水の水位を感知し前記洗浄水流入パイプ６２０を介して流入される洗浄水の量を調節するものである。 
【００９２】
添付図面のうち、図８は本発明の実施例にかかる定量水供給部と洗浄水調節部の構造を示す構成図であって、
【００９３】
以下、図４及び図８を参考し前記定量水供給部７００及び洗浄水調節部８００に対して説明する。
【００９４】
−定量水供給部７００
前記定量水供給部７００は、下記のように洗浄水調節部８００と連動して前記洗浄槽３１０に定量の水を供給するものであって、これは定量水タンク７１０、定量水流入パイプ７２０、ロードセル７３０、及び定量水調節台７４０を含めて構成される。
【００９５】
＜定量水タンク及び定量水流入パイプ＞
前記定量水タンク７１０は、内部空間が形成され外部から定量水が貯蔵されるものであって、上部一側には定量水流入パイプ結合ホール（図示せず）が形成され、下端中心部には定量水供給ホール７１１が貫通形成され、前記定量水流入パイプ結合ホール（図示せず）には前記定量水タンク７１０の内部に定量の水を供給する定量水流入パイプ７２０が結合する。前記定量水流入パイプ７２０の入口には定量水流入パイプ調節バルブ７２１がさらに結合して、これは下記のようなロードセル７３０の重さの条件により開閉が行われる。
【００９６】
＜ロードセル＞ 
前記ロードセル７３０は、前記定量水タンク７１０の下端外側に結合し、前記定量水流入パイプ７２０を介して前記定量水タンク７１０の内部に満たされる定量水量を自動調節するものであって、前記ロードセル７３０により自動炊事装置１００のディスプレー部１３０を介して予約されている信号によって前記ロードセル７３０に加えられた重さが予約信号と一致するまで定量水が供給されて停止するようになる。
【００９７】
＜定量水調節台＞
前記定量水調節台７４０は、下記のように洗浄水調節部８００と連動し前記定量水供給ホール７１１の開閉を介して定量水の排出を調節するものであって、これは調節栓ピン挿入ホール７４０ａが一端に貫通形成された第１の調節ロード７４２と、調節栓ピン７４１ｃが形成された調節栓結合台７４１ｂ、及び調節栓７４１ａで構成される。 
【００９８】
ここで、前記第１の調節ロード７４２の他端には下記のように洗浄水調節部８００の第２の調節ロード８４１と連結され、これを介して洗浄水調節部８００の作動が定量水供給部７００を連動するようになる。これに対する説明は下で詳しく説明する。
【００９９】
前記第１の調節ロード７４２の一端、すなわち、前記定量水タンク７１０の内部に位置する部分の一端には垂直方向に長空の調節栓ピン挿入ホール７４０ａが貫通形成されていて、ここには下記のように調節栓ピン７４１ｃが挿入結合するようになる。よって、前記第１の調節ロード７４２が垂直上下運動をするようになると、前記調節栓ピン７４１ｃは調節栓ピン挿入ホール７４０ａ内で無負荷運動をするようになり、これに連動して下記のように調節栓７４１ａが定量水供給ホール７１１を開閉するようになる。
【０１００】
前記調節栓結合台７４１ｂは、調節栓ピン７４１ｃが上部に結合し、前記第１の調節ロード７４２が内挿されて垂直上下運動が行われるようにするものであって、この調節栓結合台７４１ｂの一端には調節栓７４１ａが固定結合されている。 
【０１０１】
前記のような構成でよって、前記調節栓ピン挿入ホール７４０ａ内で調節栓ピン７４１ｃが上下自由運動をするので、前記第１の調節ロード７４２の上／下降運動によって前記調節栓７４１ａがロードセル７３０に圧力を加える時、第１の調節ロード７４２の上／下降運動による定量水調節台７４０自体の重さの負荷をロードセル７３０に加えない緩衝の役目をするようになるものである。
【０１０２】
一方、前記第１の調節ロード７４２が動いて調節栓７４１が定量水供給ホール７１１を塞ぐようになると、これと同時に前記定量水流入パイプ調節バルブ７２１が開放され定量水が前記定量水タンク７１０に供給されるものである。
【０１０３】
−洗浄水調節部８００
前記洗浄水調節部は、上述した洗米部３００及び定量水供給部７００と連動して洗浄水の供給、定量水の供給及び米の供給などを自動で調節するものであって、これは垂直パイプ８１０、上／下部栓８１１、８１２、ガイドピン８２０、スィッチ８３０、調節部８４１〜８４５、及び汚水排出パイプ８５０から構成され、また前記調節部８４１〜８４５は第２の調節ロード８４１、弾性部材８４２、連結ロード８４３、調節水タンク８４４、及び調節台８４５で構成される。
【０１０４】
＜垂直パイプ、上／下部栓、汚水排出パイプ＞
前記垂直パイプ８１０は円筒状の内部空間を有するパイプであって、前記第１の調節水連結パイプ８６０及び第２の調節水連結パイプ８７０が側面に結合し、上／下部が開放された構造を有する。前記第１の調節水連結パイプ８６０は、一端は上述した洗浄槽３１０の第１の洗浄水排出口３１３に連結され、他端は前記垂直パイプ８１０の上部側面に形成される貫通ホール（図示せず）に連結される。
【０１０５】
一方、前記洗浄槽３１０内部に供給される洗浄水が一定の量が満たされると、前記第１の調節水連結パイプ８６０を介して洗浄水が流れ出て、このため下記のように梃子８４５ａの排出口栓８４５ｂが洗浄槽３１０の第２の洗浄水排出口３１４を閉めるようにする。
【０１０６】
前記垂直パイプ８１０の上／下部は開放されていて、ここには上／下部栓８１１、８１２が結合するようになる。 前記上／下部栓８１１、８１２の中心部にはそれぞれ貫通ホール（図示せず）が形成されていて、前記上部栓８１１の貫通ホールには下記のようにガイドピン８２０が挿入されて、前記下部栓８１２の貫通ホール８１２ａには汚水排出パイプ８５０が連結される。前記汚水排出パイプ８５０は、前記第１、２の調節水連結パイプ８６０、８７０を介して流れ出る洗浄水が排出されるパイプである。
【０１０７】
＜ガイドピン及びスィッチ＞
前記ガイドピン８２０は、前記垂直パイプ８１０の上部栓８１１に挿入／結合され前記スィッチ８３０を作動させる役目をするものであって、これは下記のように調節部８４１〜８４５の第２の調節ロード８４１が上下方向に動くによって同時に動いて前記スィッチ８３０のＯＮ／ＯＦＦを作動させる。すなわち、前記第２の調節ロード８４１が下がると、前記ガイドピン８２０が下がって前記スィッチ８３０をタッチし電気が入って来るようにして、前記第２の調節ロード８４１が上がると、下記のように調節部８４１〜８４５の弾性部材８４２の弾性力により前記ガイドピン８２０が上がって前記の供給を止めるようにするものである。
【０１０８】
ここで、前記ガイドピン８２０が下がって前記スィッチ８３０をＯＮさせると、電気が供給されて上述した米貯蔵部駆動手段４５０又は豆貯蔵部駆動手段５４０が作動するようになり、このため上述した洗浄槽３１０に米又は豆が供給される。
【０１０９】
＜調節部＞
前記調節部８４１〜８４５は、前記定量水供給部７００と連動して前記洗米部３００の洗浄槽３１０に供給される洗浄水の量と定量水量を自動に調節するものであって、これは第２の調節ロード８４１、弾性部材８４２、連結ロード８４３、調節水タンク８４４、及び調節台８４５で構成される。
【０１１０】
前記第２の調節ロード８４１は、前記定量水供給部７００の第１の調節ロード７４２と連結され、上部にはガイドピン８２０が結合して弾性部材８４２が結合する。 そして、下端部は掛けがね８４１ａを形成していて、該部分に
2010515479.tif 000004
形状の連結ロード８４３が結合して、また前記連結ロード８４３に下端中心部に貫通孔８４４ａが形成された調節水タンク８４４が連結される。
【０１１１】
前記調節水タンク８４４は、上述した洗浄槽３１０から排出される洗浄水が一時的に貯蔵されるものであって、前記洗浄槽３１０から排出される洗浄水が調節水タンク８４４の貫通孔８４４ａを介して排出されることによって、上／下移動が可能となる。すなわち、前記調節水タンク８４４に洗浄水が落ちて溜まると、該調節水タンク８４４が下に下がるようになり、前記貫通孔８４４ａを介して洗浄水が抜けると、再び上方向に上がるようになる。この過程において前記第１の調節ロード７４２の一端に附着した調節栓７４１が前記定量水タンク７１０の定量水供給ホール７１１を開閉させるようになり、このため前記洗浄槽３１０に供給される定量水の量が自動に調節されるようになるものである。
【０１１２】
前記調節台８４５は、前記第２の調節水連結パイプ８７０の内部に備えられ、一端が前記連結ロード８４３の上部に連結され、他端が前記洗浄槽３１０の第２の洗浄水排出口３１４に位置して、前記第２の洗浄水排出口３１４の開閉を介して洗浄槽３１０内に供給される洗浄水量を調節するものである。これは前記排出口栓８４５ｂが他端に結合した梃子８４５ａ、及び前記梃子８４５ａの中心部から一側に一定距離偏心された位置に備えられる梃子軸８４５ｃを含めて構成される。
【０１１３】
前記梃子軸８４５ｃを軸として前記調節水タンク８４４の重さの変化により下がったり上がったりする動作を繰り返すことによって、前記排出口栓８４５ｂが前記第２の洗浄水排出口３１４を反復的に開閉をするようになるものである。
【０１１４】
一方、前記調節部８４１〜８４５によって洗浄槽３１０の内部に洗浄水が流入される過程を再び説明すると、先に上述した洗浄水供給パイプ６５０に結合している洗浄水供給バルブ６５１が開くと、前記洗浄槽３１０の内部に洗浄水が流入されて、流入された洗浄水が洗浄槽３１０の第２の洗浄水排出口３１４を介して排出されて前記調節水タンク８４４に洗浄水が満たされると、この重さによって前記第２の調節ロード８４１が下がるようになり、これと同時に前記第２の調節ロード８４１に連結された梃子８４５ａが前記梃子軸８４５ｃを軸として下がるようになる。
【０１１５】
さらに、前記梃子８４５ａが下がると、前記排出口栓８４５ｂが第２の洗浄水排出口３１４を塞ぐようになり、前記洗浄槽３１０の内部に洗浄水が続けて供給され、供給された洗浄水が前記第２の洗浄水排出口３１４の水位まで満たされるようになると、前記第２の洗浄水排出口３１４を介して洗浄水が排出され、これは再び前記調節水タンク８４４に続けて送られて重さを維持するようになる。この重さの維持により前記第２の洗浄水排出口３１４は排出口栓８４５ｂによって洗浄水供給パイプ６５０を介して、これ以上洗浄水が供給されないまで続けて塞がっている状態を維持するようになるものである。
【０１１６】
以下、前記のように構成される本発明の実施例にかかる自動洗米装置の全体的な作動過程に対して説明する。
【０１１７】
先に、自動炊事装置１００のディスプレー部１３０に炊事予約を選択し、予約された時間になると作動する。
【０１１８】
洗浄水貯蔵部６００の洗浄水は洗浄水供給パイプ６５０に備えられる洗浄水供給バルブ６５１が開くと、前記洗浄水供給パイプ６５０を介して洗浄槽３１０に供給され、この供給された洗浄水は洗浄槽３１０の第２の洗浄水排出口３１４から排出されながら洗浄槽３１０の内部に残っている異物とともに前記第２の調節水連結パイプ８７０を介して洗浄水調節部８００の調節水タンク８４４の中に溜まる。
【０１１９】
この過程において、洗浄水の流量の重さによって連結ロード８４３、第２の調節ロード８４１、及び第１の調節ロード７４２が下がることと同時に、前記第２の調節水連結パイプ８７０に備えられた梃子８４５ａが梃子軸８４５ｃを中心に下がると、調節部８４１〜８４５の排出口栓８４５ｂが上に上がって前記第２の洗浄水排出口３１４が塞がれ、洗浄槽３１０の内部に続けて供給される洗浄水は水位が高くなるによって前記第１の洗浄水排出口３１３に浮遊物とともにあふれて流れるようになる。
【０１２０】
続いて、前記第１の調節水連結パイプ８６０に沿って洗浄水調節部８００の垂直パイプ８１０に流れ込んだ洗浄水は前記調節水タンク８４４へ続けて送られて重さを維持するようになる。
【０１２１】
一方、前記連結ロード８４３、第２の調節ロード８４１、及び第１の調節ロード７４２が下がると、前記洗浄水調節部８００のスィッチ８３０がガイドピン８２０に押されられて電気が入り、この際、洗米部駆動手段３５０の駆動モーター３５１が作動して回転軸３３０を回転させると同時に、前記回転軸３３０の回転によってストレーナー部３２０が回転し、これと同時に米貯蔵部３００の駆動モーター３５１又は豆貯蔵部５００の駆動モーター５４０が回転するようになる。
【０１２２】
前記米貯蔵部３００の駆動モーター３５１が回転すると、前記米貯蔵部４００の米貯蔵タンク４１０に貯蔵されている米が前記米貯蔵部スクリュー結合溝４２０の内部に備えられる米貯蔵部スクリュー４４０によって押され、豆供給台５７０を介して洗浄槽３１０の米供給ホール３１１に供給される。 
【０１２３】
さらに、前記洗浄槽３１０に米又は豆が洗浄水とともに集まると、洗米部駆動手段３５０が作動してストレーナー部３２０が回転しながら洗米工程が行われる。ここで、前記ストレーナー部３２０が回転すると、ストレーナー部３２０の前部分が渦流を起こして軽い米は浮遊し、より重い石は底に残るようになり、前記ストレーナー部３２０のストレーナー溝３２１を介して米が吸い込まれてストレーナー部３２０の回転パイプ３２０ｂにより上部に移送され、ストレーナー部３２０の端部に連結されるフィルタリング部３２０ｂの透過ホール３２０ｂ'を介して洗浄水が抜けながら微細石粉と鉄分が落ちる。この際、洗浄水供給パイプ６５０を介して流入される洗浄水によってさらに洗浄されながら、米の中に含まれている微細石粉と鉄分を分離排出するようになる。
【０１２４】
また、前記連結ロード８４３、第２の調節ロード８４１、及び第１の調節ロード７４２が下がると、前記第１の調節ロード７４２の調節栓７４１が下って前記定量水タンク７１０の定量水供給ホール７１１を塞ぐようになり、これと同時に定量水流入パイプ調節バルブ７２１を開放させ前記定量水タンク７１０に定量水が流入される。
【０１２５】
前記定量水タンク７１０に供給される定量水は、自動炊事装置１００のディスプレー部１３０を介して予約されている信号によって定量水供給部７００のロードセル７３０に加えられた重さで前記予約された信号と一致するときまで供給されて停止する。
【０１２６】
一方、前記米貯蔵部４００の駆動モーター４５０が前記ディスプレー部１３０の信号を感知して米の供給を終えて止まると、３０秒後に洗浄水供給バルブ６５１と洗米部駆動手段３５０の駆動モーター３５１が停止するようになる。
【０１２７】
上述したように、洗米工程が終わると洗浄水貯蔵部６００による洗浄水の供給が中断され、前記第１の洗浄水排出口３１３を介してそれ以上洗浄水が溢れないと、前記調節水タンク８４４の貫通ホール８４４ａを介して洗浄水が抜け、前記調節水タンク８４４が空くと前記連結ロード８４３、第２の調節ロード８４１、及び第１の調節ロード７４２と前記調節水タンク８４４が上に上がり前記梃子８４５ａが下ろされる。
【０１２８】
前記梃子８４５ａが下ろされると、前記排出口栓８４５ｂが開け第２の洗浄水排出口３１４を介して排出された洗浄水は前記調節水タンク８４４に流入されて再び落ち、前記調節水タンク８４４の貫通ホール８４４ａから洗浄水が抜けると再び上がる過程を介して前記洗浄槽３１０に底流されている米から分離された石のような異物が排出するようになる。
【０１２９】
次の過程において、前記洗浄槽３１０の洗浄水が完全へ抜けると、前記洗浄水調節部８００のバネ８４２の弾性力によって前記連結ロード８４３、第２の調節ロード８４１、及び第１の調節ロード７４２が上に上がるようになり、前記定量水供給ホール７１１が開放されて前記定量水タンク７１０に貯蔵されている定量水が前記定量水供給ホール７１１を通過して前記定量水供給パイプ３７２に供給される。
【０１３０】
前記定量水供給パイプ７５０に供給された定量水は、通孔３７２ａを介して噴射されつつ排出ガイド３７１の壁を流れ落ちながら排出ガイド３７１の壁に残っている米とともに自動炊事タンク１２０に供給されつつ、洗米過程を完了するようになる。
【０１３１】
一方、ディスプレー部１３０のメニューボタン１３１を介して豆ご飯のメニューが設定されると、米供給と同時に豆貯蔵部駆動手段５４０が作動するようになり、豆貯蔵タンク５１０に貯蔵されている豆が豆貯蔵部スクリュー５３０によって豆排出口（図示せず）を過ぎて、前記洗浄槽３１０に投入される。投入された豆は米とともに混じられ同じ洗浄過程を経って前記自動炊事タンク１２０に供給される。
【符号の説明】
【０１３２】
１００：自動炊事装置         １１０：浄水装置 
１２０：自動炊事タンク       １３０：ディスプレー部 
１４０：水道パイプ           １５０：電気配線 
１６０：電話配線             ２００：自動洗米装置 
３００：洗米部               ３１０：洗浄槽 
３１１：米供給ホール         ３１２：洗浄水供給ホール 
３１３：第１の洗浄水排出口   ３１４：第２の洗浄水排出口 
３１５：豆供給ホール         ３２０：ストレーナー部 
３２２：粒集合用羽           ３３０：回転軸 
３４０：従動プーリー         ３５０：洗米部駆動手段 
３７０：炊事供給台           ３７１：排出ガイド 
３７２：定量水供給パイプ     ３８０：第１のベアリング挿入部 
３９０：第２のベアリング挿入部           ４００：米貯蔵部 
４１０：米貯蔵タンク         ４２０：米貯蔵部スクリュー結合溝 
４３０：米投下ホール栓       ４４０：米貯蔵部スクリュー 
４５０：米貯蔵部駆動手段     ５００：豆貯蔵部 
５１０：豆貯蔵タンク         ５２０：豆貯蔵部スクリュー結合溝 
５３０：豆貯蔵部スクリュー     ５４０：豆貯蔵部駆動手段 
５５０：豆排出パイプ         ５６０：豆投下ホール栓 
６００：洗浄水貯蔵部         ６１０：洗浄水貯蔵タンク 
６２０：洗浄水流入パイプ     ６３０：洗浄水貯蔵タンク栓 
６４０：洗浄水水位調節センサー           ６５０：洗浄水供給パイプ 
６６０：洗浄水投下栓         ７００：定量水供給部 
７１０：定量水タンク         ７２０：定量水流入パイプ 
７３０：ロードセル           ７４０：定量水調節台 
８００：洗浄水調節部         ８１０：垂直パイプ 
８２０：ガイドピン           ８３０：スィッチ 
８４１：第２の調節ロード     ８４２：弾性部材 
８４３：連結ロード           ８４４：調節水タンク 
８４５：調節台               ８５０：汚水排出パイプ 
８６０：第１の調節水連結パイプ         ８７０：第２の調節水連結パイプ
【図１】
2010515479.tif 000006
【図２】
2010515479.tif 000007
【図３】
2010515479.tif 000008
【図４】
2010515479.tif 000009
【図５ａ】
2010515479.tif 000010
【図５ｂ】
2010515479.tif 000011
【図５ｃ】
2010515479.tif 000012
【図５ｄ】
2010515479.tif 000013
【図６】
2010515479.tif 000014
【図７】
2010515479.tif 000015
【図８】
2010515479.tif 000016
【国際調査報告】
2010515479.tif 000017
2010515479.tif 000018